(57)【要約】【課題】住宅にある物品を容易に探すことができる探し物探知装置及び建物内の物品の出入りを管理するできる探し物探知装置の提供。【解決手段】特定の周波数電波に感応して発振する電子タグ１と、任意の周波数電波を送信し、感応した電子タグの発振を受信して探知する探知機５と、からなり、前記電子タグ１を住宅の部屋にある物品に取り付け、この物品と部屋とを関連付けて探知機５に記憶させることとした。また、建物内の出入り口に部屋を識別するための電子タグを取り付け、この電子タグと部屋とを関連付けて探知機に記憶させることとした。さらに、探知機を建物内の出入り口に設置すると共に、この探知機と無線によるネットワークで接続された基地局を設置して建物内の物品の出入りを管理することとした。【選択図】　　　図１
2004069331.tif 000002
【特許請求の範囲】
【請求項１】
特定の周波数電波に感応して発振する電子タグと、
任意の周波数電波を送信し、感応した電子タグの発振を受信して探知する探知機と、からなり、
前記電子タグを建物内にある物品に取り付け、
前記物品と物品のある部屋とを関連付けて探知機に記憶させることを特徴とする探し物探知装置。
【請求項２】
請求項１記載の探し物探知装置において、建物内の出入り口に部屋を識別するための電子タグを取り付け、
この電子タグと部屋とを関連付けて探知機に記憶させることを特徴とする探し物探知装置。
【請求項３】
請求項１または２記載の探し物探知装置において、探知機を建物内の出入り口に設置すると共に、この探知機と無線によるネットワークで接続された基地局を設置して建物内の物品の出入りを管理することを特徴とする探し物探知装置。
【発明の詳細な説明】
【０００１】
【発明の属する技術分野】
本発明は、電子タグを建物内にある物品に取り付け、この物品と物品のある部屋とを関連付けて探知機に記憶させておくことによって、物品を容易に探し出すことができる探し物探知装置に関する。
【０００２】
【従来の技術】
従来、建物内の様々な物品は個別に管理されているわけではないため、物品のある部屋や場所を特定できない場合、建物内を探し廻ることがよくある。
【０００３】
【発明が解決しようとする課題】
しかしながら、建物内の物品を手作業で探すのは効率が悪い上、時間と手間が大変かかるという問題点があった。
また、人にとって物品のある部屋や場所を随時記憶しておくのは面倒であるし、高齢になると困難になるという問題点があった。
さらに、建物内の物品は外部へ持ち出されるものもあり、建物内の物品の出入りを管理することが強く望まれていた。
本発明は、上記問題点を解決するためになされたものであって、その目的とするところは、建物内で紛失した物品を効率良く探し出すことができる探し物探知装置を提供することである。
また、本発明の探し物探知装置では、建物内の物品の出入りを管理することを目的としている。
【０００４】
【課題を解決するための手段】
本発明の請求項１記載の探し物探知装置では、特定の周波数電波に感応して発振する電子タグと、任意の周波数電波を送信し、感応した電子タグの発振を受信して探知する探知機と、からなり、前記電子タグを建物内にある物品に取り付け、前記物品と物品のある部屋とを関連付けて探知機に記憶させることを特徴とする。
【０００５】
請求項２記載の発明では、請求項１記載の探し物探知装置において、建物内の出入り口に部屋を識別するための電子タグを取り付け、この電子タグと部屋とを関連付けて探知機に記憶させることを特徴とする。
【０００６】
請求項３記載の発明では、請求項１または２記載の探し物探知装置において、探知機を建物内の出入り口に設置すると共に、この探知機と無線によるネットワークで接続された基地局を設置して建物内の物品の出入りを管理することを特徴とする。
【０００７】
【発明の実施の形態】
以下、図面に基づいて本発明の実施の形態を説明する。
＜実施の形態１＞
以下、本発明の探し物探知装置Ａの実施の形態１について説明する。
本実施の形態の探し物探知装置Ａは建物を一般住宅に適用した例である。
図１は本発明の実施の形態１の探し物探知装置Ａの全体構成図、図２は本実施の形態の探知機５が物品と部屋とを関連付けて記憶する際の動作を説明するフローチャート、図３は実施の形態の電子タグ１のＩＤを説明する図、図４は実施の形態の探知機５が物品を探知する際の動作を説明するフローチャートである。
【０００８】
図１に示すように、本実施の形態の探し物探知装置Ａは、電子タグ１と、探知機５とを主要な構成としている。
【０００９】
前記電子タグ１は、住宅にある物品に取り付けられるタグであって、アンテナ部２とＩＣチップ３と、出力部４とからなる。
前記アンテナ部２は、探知機５とマイクロ波帯（例えば１３．５６ＭＨｚ）で周波数電波を送受信するためのものである。
【００１０】
前記ＩＣチップ３は、電源部３ａと、送受信部３ｂと、記憶部３ｃと、制御部３ｄとを備えている。
前記電源部３ａは電子タグ１の駆動用電源であって、アンテナ部２が受信した電磁界を整流して起電する。
前記送受信部３ｂは、アンテナ部２が受信した周波数電波をデジタル信号に復調したり、制御部３ｄのデジタル信号を変調するためものである。
前記記憶部３ｃは、物品のデータを記憶するためのリードライトメモリであって、予め部屋名、階数、部屋番号を関連付けて次表１のように記憶している。
【００１１】
【表１】
2004069331.tif 000003
【００１２】
前記制御部３ｄは、前述した各部３ａ〜３ｄを制御して発振の命令を出したり、音声または表示などの出力の命令を出すためのものである。
前記出力部４は、音声または表示の出力をスピーカまたはＬＥＤの出力で行うためのものであって、前記制御部３ｄからの命令に応じて適宜出力を行う。
【００１３】
前記探知機５は、任意の周波数電波を送信し、感応した電子タグ１の発振を受信して探知するためのものであって、マイクロ波帯で周波数電波を送受信する送受信部５ａと、居住者との各種情報のやり取りを音声またはタッチパネル画面の入出力で行う外部入出力部５ｂと、物品のデータを記憶する記憶部５ｃと、これら各部５ａ〜５ｃの動作を制御する制御部５ｄとを備えている。
【００１４】
以下、図２のフローチャートを用いて、探知機５が物品と部屋とを関連付けて記憶する際の動作を説明する。
先ず、１０１で居住者が電子タグ１を取り付けた物品に探知機５を近づけて探知機５の登録モードボタン（図示せず）を押すと、１０２で探知機５が居住者に物品名、物品のある階数、部屋名、場所の入力を促す。
このとき、場所の入力については、物品が部屋内の東（Ｅ）、西（Ｗ）、南（Ｓ）、北（Ｎ）、中央（Ｃ）のどの場所にあるかの入力を促して行う。
【００１５】
続いて、１０３で探知機５は、電子タグ毎に固有の識別番号を付した後、探知機５の内部時計（図示せず）から年月日を取得して、図３にしめすようなＩＤを生成し、次表２に示すデータベースを作成する。なお、探知機５は前記表１のデータを有し、データベース中の部屋名の数字は前記表１の部屋番号を参照して作成している。
【００１６】
【表２】
2004069331.tif 000004
【００１７】
続いて、１０４で探知機５は、電子タグ１へ前記ＩＤを送信する。
次に、１０５で電子タグ１は、前記ＩＤを受信して記憶部３ｃに記憶する。
【００１８】
次に、探知機５が物品を探知する際の動作を図４のフローチャートを用いて説明する。
先ず、１０６で居住者が探知機５の探知モードボタン（図示せず）を押すと、１０７で探知機５が居住者に物品名の入力を促す。
続いて、１０８で探知機５は、前記物品名を前記表２のデータベースから検索し、該当する物品がある場合、１０９で物品のデータを出力すると共に、この物品のＩＤを電子タグ１へ送信する。
一方、前述の１０８で該当する物品がなければ、１１０で“該当データなし”の出力をする。
【００１９】
次に、１１１では居住者が探知機５を携帯して１０９で出力された部屋へ移動した後、物品の有無を確認する。
具体的には、電子タグ１は受信したＩＤと記憶部３ｃのＩＤとが一致する場合にのみ発振を行うと共に、出力部４が音声または表示を出力する。
一方、探知機５は電子タグ１の発振を受信した場合、外部入出力部５ｂが発振の有無や強弱を音声またはタッチパネル画面上で出力する。
よって、居住者は前述の１０９で出力された場所に物品がない場合でも、電子タグ１または探知機５のいずれかの出力で物品の有無を確認できるようになっている。
【００２０】
また、１１１で居住者は物品を探知させて発見できない場合、１１２に進んで探知機５を携帯して他の部屋へ移動し、同様にして物品を探す。
次に、１１３で探知機５は、居住者に物品のデータの再登録をするかどうかの入力を促し、再登録する場合には１１４へ進んで前述した図２の１０１〜１０５を行う。なお、再登録しない場合には、何もせずに終了する。
【００２１】
よって、本実施の形態の探し物探知装置Ａにおいては、探知機５が物品と部屋とを関連付けてデータベースを作成して記憶しているため、居住者は物品のある部屋を随時記憶しておく必要がなく、忘れてしまった場合でも容易に調べることができる。
【００２２】
また、物品が他の部屋へ持ち出されて移動した場合でも、居住者は探知機５を携帯して他の部屋へ移動して探知させることによって、容易に物品を探すことができ、従来と比べて探す手間と時間を大幅に短縮できる。
【００２３】
さらに、外部入出力部５ｂは、居住者とのやり取りを音声またはタッチパネル画面を用いて行うため、子供から老人まで容易に探知機５を使用することができる。
【００２４】
＜実施の形態２＞
以下、本発明の探し物探知装置Ｂの実施の形態２について説明する。
図５は本発明の実施の形態２の探し物探知装置Ｂの全体構成図である。
図に示すように、本実施の形態の探し物探知装置Ｂでは、建物としての住宅の各部屋の出入り口に部屋を識別するための電子タグ１ａが取り付けられ、探知機５の記憶部５ｃが電子タグ１ａと部屋とを関連付けて記憶していること以外は前記実施の形態１と同様であるため、同一構成のものについては同一の符号を付してその説明は省略する。
【００２５】
本実施の形態の探し物探知装置Ｂは、探知機５の記憶部５ｃが次表３に示すデータベースを作成して各部屋の出入り口に取り付けられた電子タグ１ａと部屋とを関連付けて記憶している。
【００２６】
【表３】
2004069331.tif 000005
【００２７】
そして、居住者が探知機５を携帯して部屋へ移動すると、探知機５は部屋の出入り口に取り付けられた電子タグ１ａのＩＤを受信して、部屋名、階数、部屋番号を自動的に取得するようになっている。
【００２８】
よって、居住者が探知機５に物品と部屋と関連付けて記憶させる際や物品のデータの再登録させる際に、物品のある部屋名、階数、部屋番号をその都度入力する必要がなくなる。
【００２９】
＜実施の形態３＞
以下、本発明の探し物探知装置Ｃの実施の形態３について説明する。
本実施の形態の探し物探知装置Ｃは、前記実施の形態１〜２で説明した電子タグ１と探知機５とを建物としての住宅の物品管理と防犯に応用した例である。
なお、前記実施の形態１または２と同様の構成のものについては同一の符号を付してその説明は省略する。
【００３０】
図６は本発明の実施の形態３の探し物探知装置Ｃの全体構成図、図７は実施の形態の電子タグ１のＩＤを説明する図である。
図６に示すように、本実施の形態の探し物探知装置Ｃでは、住宅の部屋の出入り口に探知機５を設けると共に、出入り口６の付近に探知機７、カメラ８、警報機９を設け、これらと基地局１０とを無線によるネットワークで接続している。また、前記基地局１０は予め前記実施の形態で説明した表１〜３のデータを記憶しており、これらのデータは居住者が必要に応じて適宜閲覧して出力できるようになっている。
【００３１】
また、図７に示すように、本実施の形態の電子タグ１はＩＤに４桁のセキュリティナンバーと持ち出し許可フラグとを付加して記憶している。
前記セキュリティナンバーは、居住者が探知機５に特定の物品（例えば、金庫、保険証、現金など）を探知させる際に入力を求められる認証番号であり、居住者はこの４桁の番号を入力しない限り、特定の物品のデータを呼び出せないようになっている。
また、持ち出し許可フラグは０のとき許可で１とき不許可を意味し、この物品を住宅の外部へ持ち出す際に利用されるフラグである。
【００３２】
以下、本実施の形態の探し物探知装置Ｃの動作について説明する。
図６において、探知機５は物品が部屋の出入り口を通過する度にこの物品に取り付けられた電子タグ１を探知し、電子タグ１のＩＤを基地局１０へ送信する。
一方、基地局１０では前記ＩＤから物品のデータを訂正すると共に、他の部屋の探知機へ最新のデータベースを送信する。
【００３３】
また、物品が住宅外部へ持ち出される際には、探知機７が出入り口６を通過する物品の電子タグ１のＩＤを受信して基地局１０へ送信する。
一方、基地局１０では前記ＩＤの持ち出し許可フラグが０の場合、カメラ７を作動させて持ち出される様子を録画し、持ち出し許可フラグ１の場合には前記カメラ７を作動させて物品が持ち出される様子を録画すると共に、警報機７で警報を出力するようになっている。
なお、物品が外部に持ち出された場合、この物品に取り付けられた電子タグ１の記憶部３ｃにはそのままＩＤが保持され、一方、探知機５，７及び基地局１０のデータベースには前記物品が持ち出された年月日が追加されて記憶される。
【００３４】
よって、居住者は物品を探す際に基地局１０で物品のデータを閲覧して物品のある場所を知ることができる。
また、探知機５，７はネットワークを介して物品のデータを共有しているため、居住者は探知機を携帯して移動しながら探知させる必要がない。
また、基地局１０が物品のデータを管理することによって、物品が部屋間を移動した場合でも探知機５の物品のデータを最新の状態にできる。
【００３５】
また、電子タグ１のＩＤにセキュリティナンバーを付加したため、物品のデータの閲覧に制限をかけることができ、侵入者による探し物探知装置５の悪用を阻止できる。
【００３６】
また、電子タグ１のＩＤに持ち出し許可フラグを付加して出入り口６の付近に探知機７、カメラ８、警報機９を設けることにより、住宅の物品の防犯性が高まる。
さらに、物品が外部に持ち出された場合、物品の電子タグ１にはＩＤが記憶された状態となるため、外部に持ち出された物品が再び住宅内に持ち込まれた際に、物品の登録をスムーズに行うことができる。
一方、探知機５，７及び基地局１０には前記物品が持ち出された年月日が記憶されることにより、住宅の物品の出入りを年月日で管理することができる。
【００３７】
以上、本発明の実施の形態を説明してきたが、本発明の具体的構成は本実施の形態に限定されるものではなく、発明の要旨を逸脱しない範囲の設計変更などがあっても本発明に含まれる。
例えば、本実施の形態では、探し物探知装置を一般住宅に適用したものについて説明したが、この他に銀行や美術館、保管庫や公共施設などの様々な建物に適用できることは言うまでもない。
また、本実施の形態では、物品のＩＤにセキュリティナンバーを設けて物品データの閲覧を制限したものについて説明したが、探知機に指紋認証部を設け、前記セキュリティナンバーとの組み合わせ（例えば、セキュリティナンバー又は指紋認証、セキュリティナンバー及び指紋認証など）で特定の条件を満たした場合にのみ特定の物品のデータが表示されるようにすることもできる。
また、本実施の形態では、探す物品を入力させる際に物品名の入力を促すようにしたが、それ以外のデータ、例えば、物品を登録した日付を検索条件にして物品を特定し、その場所を出力するようにすることもできる。
さらに、本発明の探し物探知装置において、特定の物品が部屋から移動した際に任意の連絡先へ通報するように動作させたり、出入り口６に人体感応センサを設けて探知機７やカメラ８などと連動させても良い。
【００３８】
【発明の効果】
以上、説明してきたように本発明の探し物探知装置においては、電子タグと探知機という単純な構成で建物内の物品を容易に見つけ出すことができる。
【００３９】
また、物品が持ち出されて移動した場合でも、探知機を他の部屋へ移動させて探知させることにより、物品を容易に見つけ出すことができる。
【００４０】
また、建物内の出入り口に電子タグを取り付け、物品と物品のある部屋とを関連付けて探知機に記憶させることとしたため、物品が移動した場合でも物品のある部屋を探知機に容易に記憶させることができる。
【００４１】
また、探知機を建物内の出入り口に設置し、この探知機と無線によるネットワークで接続された基地局を設置して住宅の物品の出入りを管理することとしたため、物品を探す際に基地局で物品の位置を検索したり、特定の部屋にある物品のリストを調べたりすることができる。
また、探知機の物品のデータを常に最新の状態に保つことができるという効果を得られる。
【図面の簡単な説明】
【図１】本発明の実施の形態１の探し物探知装置Ａの全体構成図である。
【図２】実施の形態１の探知機５が物品と部屋とを関連付けて記憶する際の動作を説明するフローチャートである。
【図３】実施の形態１の電子タグ１のＩＤを説明する図である。
【図４】実施の形態１の探知機５が物品を探知する際の動作を説明するフローチャートである。
【図５】本発明の実施の形態２の探し物探知装置Ｂの全体構成図である。
【図６】本発明の実施の形態３の探し物探知装置Ｃの全体構成図である。
【図７】実施の形態３の電子タグ１のＩＤを説明する図である。
【符号の説明】
Ａ、Ｂ、Ｃ　探し物探知装置
１、１ａ　電子タグ
２　アンテナ部
３　ＩＣチップ
３ａ　電源部
３ｂ　送受信部
３ｃ　記憶部
３ｄ　制御部
４　出力部
５、７　探知機
５ａ　送受信部
５ｂ　入出力部
５ｃ　記憶部
５ｄ　制御部
６　出入り口
８　カメラ
９　警報機
１０　基地局
【図１】
2004069331.tif 000006
【図２】
2004069331.tif 000007
【図３】
2004069331.tif 000008
【図４】
2004069331.tif 000009
【図５】
2004069331.tif 000010
【図６】
2004069331.tif 000011
【図７】
2004069331.tif 000012